(57)【要約】【課題】動作制御の単純化及び小型化等を図る。【解決手段】  対物レンズ駆動装置８の構成要素として、固定ブロック１０、対物レンズ１８を保持する可動ブロック１１、固定ブロックと可動ブロックとを連結する支持バネ１５、１５、・・・、フォーカシングコイル２０、トラッキングコイル２１、２１、チルトコイル２３、フォーカシングコイル及びトラッキングコイルとともに第１の磁気回路２２を構成する第１のマグネット１２、１２及びチルトコイルとともに第２の磁気回路２４を構成しチルトコイルに挿入された状態で配置された第２のマグネット１３とを設け、フォーカシング方向及びトラッキング方向にともに直交する方向に離隔して対物レンズと第２のマグネットとを位置させ、該第２のマグネットをトラッキング方向に並んでＮ極とＳ極に着磁し、チルトコイルの第２のマグネットを挟んでトラッキング方向における互いに反対側の部分を可動ブロックをチルト方向へ動作させるチルト駆動部２３ａ、２３ｂとした。【選択図】        図２
2005063605.tif 000002
【特許請求の範囲】
【請求項１】
ディスクテーブルに装着されるディスク状記録媒体の半径方向へ移動される移動ベースと該移動ベースに配置された対物レンズ駆動装置とを備えた光ピックアップであって、
上記対物レンズ駆動装置は、
上記移動ベースに固定された固定ブロックと、
該固定ブロックに対してディスク状記録媒体の記録面に離接する方向であるフォーカシング方向、ディスク状記録媒体の略半径方向であるトラッキング方向並びにフォーカシング方向及びトラッキング方向にともに直交する軸の軸回り方向であるチルト方向へ動作されると共に対物レンズを保持する可動ブロックと、
固定ブロックと可動ブロックとを連結する支持バネと、
可動ブロックのフォーカシング方向への動作時に通電されるフォーカシングコイルと、
可動ブロックのトラッキング方向への動作時に通電されるトラッキングコイルと、
可動ブロックのチルト方向への動作時に通電されるチルトコイルと、
フォーカシングコイル及びトラッキングコイルとともに第１の磁気回路を構成する第１のマグネットと、
チルトコイルとともに第２の磁気回路を構成しチルトコイルに挿入された状態で配置された第２のマグネットとを備え、
フォーカシング方向及びトラッキング方向にともに直交する方向に離隔して対物レンズと第２のマグネットとが位置され、
該第２のマグネットはトラッキング方向に並んでＮ極とＳ極が着磁され、
チルトコイルの第２のマグネットを挟んでトラッキング方向における互いに反対側の部分が可動ブロックをチルト方向へ動作させるチルト駆動部とされた
ことを特徴とする光ピックアップ。
【請求項２】
フォーカシングコイルを対物レンズと第２のマグネットとの間に配置し、
フォーカシングコイルに通電されたときに第２のマグネットの漏れ磁束がフォーカシングコイルを横切ることにより可動ブロックがチルト方向へ傾くようにし、
フォーカシングコイルに通電されたときの第２のマグネットの漏れ磁束による可動ブロックの傾きが、ディスク状記録媒体の反りによる記録面の傾き方向と同じ方向となるように第２のマグネットのＮ極とＳ極との位置を設定した
ことを特徴とする請求項１に記載の光ピックアップ。
【請求項３】
ディスク状記録媒体が装着されるディスクテーブルと該ディスクテーブルに装着されるディスク状記録媒体に対して対物レンズを介してレーザー光を照射する光ピックアップとを備えたディスクドライブ装置であって、
上記光ピックアップは、
ディスクテーブルに装着されるディスク状記録媒体の半径方向へ移動される移動ベースと、
該移動ベースに配置された対物レンズ駆動装置とを備え、
該対物レンズ駆動装置は、
上記移動ベースに固定された固定ブロックと、
該固定ブロックに対してディスク状記録媒体の記録面に離接する方向であるフォーカシング方向、ディスク状記録媒体の略半径方向であるトラッキング方向並びにフォーカシング方向及びトラッキング方向にともに直交する軸の軸回り方向であるチルト方向へ動作されると共に対物レンズを保持する可動ブロックと、
固定ブロックと可動ブロックとを連結する支持バネと、
可動ブロックのフォーカシング方向への動作時に通電されるフォーカシングコイルと、
可動ブロックのトラッキング方向への動作時に通電されるトラッキングコイルと、
可動ブロックのチルト方向への動作時に通電されるチルトコイルと、
フォーカシングコイル及びトラッキングコイルとともに第１の磁気回路を構成する第１のマグネットと、
チルトコイルとともに第２の磁気回路を構成しチルトコイルに挿入された状態で配置された第２のマグネットとを備え、
フォーカシング方向及びトラッキング方向にともに直交する方向に離隔して対物レンズと第２のマグネットとが位置され、
該第２のマグネットはトラッキング方向に並んでＮ極とＳ極が着磁され、
チルトコイルの第２のマグネットを挟んでトラッキング方向における互いに反対側の部分が可動ブロックをチルト方向へ動作させるチルト駆動部とされた
ことを特徴とするディスクドライブ装置。
【請求項４】
フォーカシングコイルを対物レンズと第２のマグネットとの間に配置し、
フォーカシングコイルに通電されたときに第２のマグネットの漏れ磁束がフォーカシングコイルを横切ることにより可動ブロックがチルト方向へ傾くようにし、
フォーカシングコイルに通電されたときの第２のマグネットの漏れ磁束による可動ブロックの傾きが、ディスク状記録媒体の反りによる記録面の傾き方向と同じ方向となるように第２のマグネットのＮ極とＳ極との位置を設定した
ことを特徴とする請求項３に記載のディスクドライブ装置。
【発明の詳細な説明】
【技術分野】
【０００１】
本発明は光ピックアップ及びディスクドライブ装置に関する。詳しくは、可動ブロックが支持バネを介して固定ブロックに支持され可動ブロックがフォーカシング方向、トラッキング方向及びチルト方向の３方向へ動作される対物レンズ駆動装置を有する光ピックアップ及びこれを備えたディスクドライブ装置についての技術分野に関する。
【背景技術】
【０００２】
光ディスクや光磁気ディスク等のディスク状記録媒体に対して情報信号の記録や再生を行うディスクドライブ装置があり、このようなディスクドライブ装置には、ディスク状記録媒体の半径方向へ移動され該ディスク状記録媒体に対してレーザー光を照射する光ピックアップが設けられている。
【０００３】
光ピックアップには対物レンズ駆動装置が設けられており、該対物レンズ駆動装置によって、その可動ブロックに保持された対物レンズをディスク状記録媒体の記録面に離接する方向であるフォーカシング方向へ動作させてフォーカシング調整を行うと共に対物レンズをディスク状記録媒体の略半径方向であるトラッキング方向へ動作させてトラッキング調整を行い、対物レンズを介してディスク状記録媒体に照射されるレーザー光のスポットがディスク状記録媒体の記録トラックに集光されるようにしている。
【０００４】
このように光ピックアップにあっては、対物レンズ駆動装置によってフォーカシング調整及びトラッキング調整を行うのが一般的であるが、近年、レーザー光のスポットの記録トラックに対する追従性の向上等を図るために、フォーカシング調整及びトラッキング調整の２軸方向の調整に加え、可動ブロックをディスク状記録媒体の記録面に対して傾動可能とし、回転中のディスク状記録媒体に面振れ等が生じたときの調整をも可能とした所謂３軸アクチュエーターと称される対物レンズ駆動装置が開発されている。
【０００５】
このような３軸アクチュエーターと称される対物レンズ駆動装置には、例えば、フォーカシングコイルとトラッキングコイルとチルトコイルが一体化された複数のコイル体を用いて可動ブロックをそれぞれフォーカシング方向、トラッキング方向及びチルト方向の３方向へ動作させるようにしたものがある（例えば、特許文献１参照）。
【０００６】
また、３軸アクチュエーターと称される対物レンズ駆動装置には、例えば、フォーカシングコイルとトラッキングコイルが一体化されたコイル体を用いて可動ブロックをそれぞれフォーカシング方向及びトラッキング方向へ動作させ、フォーカシングコイル及びトラッキングコイルとは別に設けられた複数のチルトコイルを用いてチルト方向へ動作させるようにしたものもある（例えば、特許文献２参照）。
【０００７】
【特許文献１】特開平１０―２６１２３３号公報
【０００８】
【特許文献２】特開２００１―１１００７５号公報
【発明の開示】
【発明が解決しようとする課題】
【０００９】
ところが、上記した従来の光ピックアップの特許文献１に示された対物レンズ駆動装置にあっては、フォーカシングコイルとトラッキングコイルとチルトコイルという異なる機能を有する３種類のコイルが一体化されているため、動作制御が複雑であり、また、フォーカシングコイルが複数に分割されているため、フォーカシング動作時の感度の低下等が生じるおそれがあった。
【００１０】
一方、上記した従来の光ピックアップの特許文献２に示された対物レンズ駆動装置にあっては、チルトコイルがフォーカシングコイル及びトラッキングコイルとは独立して配置されているため、動作制御の単純化を図ることが可能であるが、複数のチルトコイル及びこれに対向して位置される複数のチルトマグネットが必要であり、その分、部品点数の増加及び大型化を来たすという問題がある。
【００１１】
そこで、本発明光ピックアップ及びディスクドライブ装置は、上記した問題点を克服し、動作制御の単純化及び小型化等を図ることを課題とする。
【課題を解決するための手段】
【００１２】
本発明対物レンズ駆動装置及びディスクドライブ装置は、上記した課題を解決するために、対物レンズ駆動装置の構成要素として、移動ベースに固定された固定ブロックと、該固定ブロックに対してディスク状記録媒体の記録面に離接する方向であるフォーカシング方向、ディスク状記録媒体の略半径方向であるトラッキング方向並びにフォーカシング方向及びトラッキング方向にともに直交する軸の軸回り方向であるチルト方向へ動作されると共に対物レンズを保持する可動ブロックと、固定ブロックと可動ブロックとを連結する支持バネと、可動ブロックのフォーカシング方向への動作時に通電されるフォーカシングコイルと、可動ブロックのトラッキング方向への動作時に通電されるトラッキングコイルと、可動ブロックのチルト方向への動作時に通電されるチルトコイルと、フォーカシングコイル及びトラッキングコイルとともに第１の磁気回路を構成する第１のマグネットと、チルトコイルとともに第２の磁気回路を構成しチルトコイルに挿入された状態で配置された第２のマグネットとを設け、フォーカシング方向及びトラッキング方向にともに直交する方向に離隔して対物レンズと第２のマグネットとを位置させ、該第２のマグネットをトラッキング方向に並んでＮ極とＳ極に着磁し、チルトコイルの第２のマグネットを挟んでトラッキング方向における互いに反対側の部分を可動ブロックをチルト方向へ動作させるチルト駆動部としたものである。
【００１３】
従って、本発明対物レンズ駆動装置及びディスクドライブ装置にあっては、チルトコイルがフォーカシングコイル及びトラッキングコイルとは独立して配置されると共にチルト駆動のための第２のマグネットがチルトコイルの内側に配置される。
【発明の効果】
【００１４】
本発明光ピックアップは、ディスクテーブルに装着されるディスク状記録媒体の半径方向へ移動される移動ベースと該移動ベースに配置された対物レンズ駆動装置とを備えた光ピックアップであって、上記対物レンズ駆動装置は、上記移動ベースに固定された固定ブロックと、該固定ブロックに対してディスク状記録媒体の記録面に離接する方向であるフォーカシング方向、ディスク状記録媒体の略半径方向であるトラッキング方向並びにフォーカシング方向及びトラッキング方向にともに直交する軸の軸回り方向であるチルト方向へ動作されると共に対物レンズを保持する可動ブロックと、固定ブロックと可動ブロックとを連結する支持バネと、可動ブロックのフォーカシング方向への動作時に通電されるフォーカシングコイルと、可動ブロックのトラッキング方向への動作時に通電されるトラッキングコイルと、可動ブロックのチルト方向への動作時に通電されるチルトコイルと、フォーカシングコイル及びトラッキングコイルとともに第１の磁気回路を構成する第１のマグネットと、チルトコイルとともに第２の磁気回路を構成しチルトコイルに挿入された状態で配置された第２のマグネットとを備え、フォーカシング方向及びトラッキング方向にともに直交する方向に離隔して対物レンズと第２のマグネットとが位置され、該第２のマグネットはトラッキング方向に並んでＮ極とＳ極が着磁され、チルトコイルの第２のマグネットを挟んでトラッキング方向における互いに反対側の部分が可動ブロックをチルト方向へ動作させるチルト駆動部とされたことを特徴とする。
【００１５】
従って、フォーカシング駆動及びトラッキング駆動を行うための第１の磁気回路とチルト駆動を行うための第２の磁気回路とが各別に設けられているため、動作制御の単純化を図ることができ、また、フォーカシング動作時の感度の向上を図ることができる。
【００１６】
また、チルトコイルにトラッキング方向に並ぶようにＮ極とＳ極が着磁された第２のマグネットが挿入されて配置されているため、チルトコイルの内側の空間を第２のマグネットの配置スペースとして有効活用することができ、その分、小型化を図ることができる。
【００１７】
請求項２に記載した発明にあっては、フォーカシングコイルを対物レンズと第２のマグネットとの間に配置し、フォーカシングコイルに通電されたときに第２のマグネットの漏れ磁束がフォーカシングコイルを横切ることにより可動ブロックがチルト方向へ傾くようにし、フォーカシングコイルに通電されたときの第２のマグネットの漏れ磁束による可動ブロックの傾きが、ディスク状記録媒体の反りによる記録面の傾き方向と同じ方向となるように第２のマグネットのＮ極とＳ極との位置を設定したので、チルト駆動時の第２の磁気回路による可動ブロックの駆動量を低減することができ、動作制御の容易化及び消費電力の低減を図ることができる。
【００１８】
また、第２の磁気回路によりチルト駆動される方向と第２のマグネットの漏れ磁束による影響によって可動ブロックが傾斜される方向とが同じ方向であるため、第２の磁気回路によって発生する力と第２のマグネットの漏れ磁束による影響によって発生する力とが互いの抵抗となることがなく、フォーカシング駆動及びチルト駆動における動作の信頼性の向上を図ることができる。
【００１９】
本発明ディスクドライブ装置は、ディスク状記録媒体が装着されるディスクテーブルと該ディスクテーブルに装着されるディスク状記録媒体に対して対物レンズを介してレーザー光を照射する光ピックアップとを備えたディスクドライブ装置であって、上記光ピックアップは、ディスクテーブルに装着されるディスク状記録媒体の半径方向へ移動される移動ベースと、該移動ベースに配置された対物レンズ駆動装置とを備え、該対物レンズ駆動装置は、上記移動ベースに固定された固定ブロックと、該固定ブロックに対してディスク状記録媒体の記録面に離接する方向であるフォーカシング方向、ディスク状記録媒体の略半径方向であるトラッキング方向並びにフォーカシング方向及びトラッキング方向にともに直交する軸の軸回り方向であるチルト方向へ動作されると共に対物レンズを保持する可動ブロックと、固定ブロックと可動ブロックとを連結する支持バネと、可動ブロックのフォーカシング方向への動作時に通電されるフォーカシングコイルと、可動ブロックのトラッキング方向への動作時に通電されるトラッキングコイルと、可動ブロックのチルト方向への動作時に通電されるチルトコイルと、フォーカシングコイル及びトラッキングコイルとともに第１の磁気回路を構成する第１のマグネットと、チルトコイルとともに第２の磁気回路を構成しチルトコイルに挿入された状態で配置された第２のマグネットとを備え、フォーカシング方向及びトラッキング方向にともに直交する方向に離隔して対物レンズと第２のマグネットとが位置され、該第２のマグネットはトラッキング方向に並んでＮ極とＳ極が着磁され、チルトコイルの第２のマグネットを挟んでトラッキング方向における互いに反対側の部分が可動ブロックをチルト方向へ動作させるチルト駆動部とされたことを特徴とする。
【００２０】
従って、フォーカシング駆動及びトラッキング駆動を行うための第１の磁気回路とチルト駆動を行うための第２の磁気回路とが各別に設けられているため、動作制御の単純化を図ることができ、また、フォーカシング動作時の感度の向上を図ることができる。
【００２１】
また、チルトコイルにトラッキング方向に並ぶようにＮ極とＳ極が着磁された第２のマグネットが挿入されて配置されているため、チルトコイルの内側の空間を第２のマグネットの配置スペースとして有効活用することができ、その分、小型化を図ることができる。
【００２２】
請求項４に記載した発明にあっては、フォーカシングコイルを対物レンズと第２のマグネットとの間に配置し、フォーカシングコイルに通電されたときに第２のマグネットの漏れ磁束がフォーカシングコイルを横切ることにより可動ブロックがチルト方向へ傾くようにし、フォーカシングコイルに通電されたときの第２のマグネットの漏れ磁束による可動ブロックの傾きが、ディスク状記録媒体の反りによる記録面の傾き方向と同じ方向となるように第２のマグネットのＮ極とＳ極との位置を設定したので、チルト駆動時の第２の磁気回路による可動ブロックの駆動量を低減することができ、動作制御の容易化及び消費電力の低減を図ることができる。
【００２３】
また、第２の磁気回路によりチルト駆動される方向と第２のマグネットの漏れ磁束による影響によって可動ブロックが傾斜される方向とが同じ方向であるため、第２の磁気回路によって発生する力と第２のマグネットの漏れ磁束による影響によって発生する力とが互いの抵抗となることがなく、フォーカシング駆動及びチルト駆動における動作の信頼性の向上を図ることができる。
【発明を実施するための最良の形態】
【００２４】
以下に、本発明光ピックアップ及びディスクドライブ装置の最良の形態を添付図面を参照して説明する。
【００２５】
ディスクドライブ装置１は、外筐２内に所要の各部材及び各機構が配置されて成り（図１参照）、外筐２には図示しないディスク挿入口が形成されている。
【００２６】
外筐２内には図示しないシャーシが配置され、該シャーシに取り付けられたスピンドルモーターのモーター軸にディスクテーブル３が固定されている。
【００２７】
シャーシには、平行なガイド軸４、４が取り付けられると共に図示しない送りモーターによって回転されるリードスクリュー５が支持されている。
【００２８】
光ピックアップ６は、移動ベース７と該移動ベース７に設けられた所要の光学部品と移動ベース７上に配置された対物レンズ駆動装置８とを有し、移動ベース７の両端部に設けられた軸受部７ａ、７ｂがそれぞれガイド軸４、４に摺動自在に支持されている（図１参照）。移動ベース７に設けられた図示しないナット部材がリードスクリュー５に螺合され、送りモーターによってリードスクリュー５が回転されると、ナット部材がリードスクリュー５の回転方向へ応じた方向へ送られ、光ピックアップ６がディスクテーブル３に装着されるディスク状記録媒体１００の半径方向へ移動される。
【００２９】
対物レンズ駆動装置８はベース部材９と固定ブロック１０と該固定ブロック１０に対して動作される可動ブロック１１とを有している（図２乃至図４参照）。
【００３０】
ベース部材９は磁性金属材料によって各部が一体に形成され、移動ベース７上に取り付けられたベース部９ａと、該ベース部９ａの前後両端部からそれぞれ直角に立ち曲げられたヨーク部９ｂ、９ｂとから成る。
【００３１】
ヨーク部９ｂ、９ｂの互いに対向する面には、それぞれ第１のマグネット１２、１２が取り付けられている。
【００３２】
ベース部９ａの後端部には第２のマグネット１３が取り付けられている。第２のマグネット１３は上下に長い角棒状に形成され、左右方向、即ち、トラッキング方向においてＮ極とＳ極に着磁されている。
【００３３】
固定ブロック１０は移動ベース７上に固定され、後端部に上下左右に離隔して４つのバネ取付部１０ａ、１０ａ、・・・を有している。固定ブロック１０の後面には回路基板１４が取り付けられ、該回路基板１４は図示しない電源回路に接続されている。
【００３４】
固定ブロック１０のバネ取付部１０ａ、１０ａ、・・・にはそれぞれ支持バネ１５、１５、・・・の各一端部が取り付けられ、該支持バネ１５、１５、・・・の各一端部が固定ブロック１０に取り付けられた回路基板１４に接続されている。支持バネ１５、１５、・・・には、電源回路から回路基板１４を介してフォーカシング駆動用又はトラッキング駆動用の駆動電流が供給される。
【００３５】
可動ブロック１１は前側に位置するレンズ取付部１６と後側に位置する磁気回路部１７とが一体に形成されて成る。
【００３６】
レンズ取付部１６の左右両側面にはそれぞれ上下に離隔して左右に２つずつのバネ取付突部１６ａ、１６ａ、・・・が設けられている。バネ取付突部１６ａ、１６ａ、・・・にはそれぞれ支持バネ１５、１５、・・・の他端部が取り付けられている。従って、可動ブロック１１が支持バネ１５、１５、・・・によって固定ブロック１０と連結されて中空に保持される。
【００３７】
磁気回路部１７には上下に貫通する配置孔１７ａが形成されている。磁気回路部１７の後端部には、その左右方向における中央部にコイル取付部１７ｂが設けられている。
【００３８】
レンズ取付部１６の上面には対物レンズ１８が取り付けられて保持されている。
【００３９】
磁気回路部１７にはコイル体１９が取り付けられている。コイル体１９はフォーカシングコイル２０とトラッキングコイル２１、２１とが結合されて成る。
【００４０】
フォーカシングコイル２０は軸方向が上下方向となるような横長の略角筒状に形成されている。トラッキングコイル２１、２１は軸方向が前後方向となるような厚みの薄い環状に形成され、フォーカシングコイル２０の前面に左右に並ぶようにして取り付けられている。コイル体１９は配置孔１７ａに配置された状態で磁気回路部１７の内周面に取り付けられ、コイル体１９が磁気回路部１７に取り付けられた状態においては、コイル体１９の前側に空間が形成されている。
【００４１】
磁気回路部１７の配置孔１７ａにはベース部材９のヨーク部９ｂ、９ｂ及び該ヨーク部９ｂ、９ｂに取り付けられた第１のマグネット１２、１２が挿入されて配置され、フォーカシングコイル２０の前側に位置する部分とトラッキングコイル２１、２１を挟んで第１のマグネット１２、１２が対向して位置される。
【００４２】
ベース部材９のベース部９ａ、ヨーク部９ｂ、９ｂ、第１のマグネット１２、１２、フォーカシングコイル２０及びトラッキングコイル２１、２１によって可動ブロック１１をフォーカシング方向又はトラッキング方向へ動作させるための第１の磁気回路２２が構成される。
【００４３】
フォーカシングコイル２０及びトラッキングコイル２１、２１には、それぞれ固定ブロック１０に取り付けられた回路基板１４、支持バネ１５、１５、・・・を介して電源回路から駆動電流が供給される。
【００４４】
フォーカシングコイル２０に駆動電流が流れると、該フォーカシングコイル２０に流れる駆動電流の向きに応じて所定の方向への推力が発生し、可動ブロック１１が固定ブロック１０に対して図２及び図４に示すＦ―Ｆ方向、即ち、上記ディスクテーブル３に装着されるディスク状記録媒体１００の記録面に離接する方向であるフォーカシング方向へ動作される。
【００４５】
トラッキングコイル２１、２１に駆動電流が供給されると、該トラッキングコイル２１、２１に流れる駆動電流の向きに応じて所定の方向への推力が発生し、可動ブロック１１が固定ブロック１０に対して図２乃至図４に示すＴ―Ｔ方向、即ち、上記ディスクテーブル３に装着されるディスク状記録媒体１００の略半径方向であるトラッキング方向へ動作される。
【００４６】
磁気回路部１７のコイル取付部１７ｂにはチルトコイル２３が取り付けられている。チルトコイル２３は軸方向が上下方向となるように略角筒状に形成され、左右に離隔して位置する部分がそれぞれチルト駆動を行うためのチルト駆動部２３ａ、２３ｂとして形成されている。
【００４７】
チルトコイル２３の内部にはベース部材９のベース部９ａに取り付けられた第２のマグネット１３が挿入されて配置される。従って、チルトコイル２３及び第２のマグネット１３によって可動ブロック１１をチルト方向へ動作させるための第２の磁気回路２４が構成される。
【００４８】
チルトコイル２３には、例えば、図示しないフレキシブルプリント配線板やリッツ線等を介して電源回路から駆動電流が供給される。
【００４９】
チルトコイル２３に駆動電流が供給されると、該チルトコイル２３に流れる駆動電流の向きに応じて所定の方向への推力が発生し、可動ブロック１１が固定ブロック１０に対して図２及び図４に示すＲ―Ｒ方向、即ち、フォーカシング方向及びトラッキング方向にともに直交する軸の軸回り方向であるチルト方向へ動作される。
【００５０】
可動ブロック１１がフォーカシング方向、トラッキング方向又はチルト方向へ動作されるときには、支持バネ１５、１５、・・・が弾性変形される。
【００５１】
以上のようにして構成されたディスクドライブ装置１において、スピンドルモーターの回転に伴ってディスクテーブル３が回転されると、該ディスクテーブル３に装着されたディスク状記録媒体１００が回転され、同時に、光ピックアップ６がディスク状記録媒体１００の半径方向へ移動されて該ディスク状記録媒体１００に対する記録動作又は再生動作が行われる。
【００５２】
この記録動作及び再生動作において、フォーカシングコイル２０に駆動電流が供給されると、上記したように、対物レンズ駆動装置８の可動ブロック１１が固定ブロック１０に対して図２及び図４に示すフォーカシング方向Ｆ―Ｆへ動作され、移動ベース７に設けられた図示しない半導体レーザーから出射され対物レンズ１８を介して照射されるレーザー光のスポットがディスク状記録媒体１００の記録トラック上に集光するようにフォーカシング調整が為される。また、トラッキングコイル２１、２１に駆動電流が供給されると、上記したように、対物レンズ駆動装置８の可動ブロック１１が固定ブロック１０に対して図２乃至図４に示すトラッキング方向Ｔ―Ｔへ動作され、半導体レーザーから出射され対物レンズ１８を介して照射されるレーザー光のスポットがディスク状記録媒体１００の記録トラック上に集光するようにトラッキング調整が為される。
【００５３】
ディスク状記録媒体１００に対する記録動作及び再生動作においては、上記したフォーカシング調整及びトラッキング調整に加え、同時に、チルト調整も行われる。このチルト調整は、例えば、ディスク状記録媒体１００の反りによる記録面の傾きや回転中のディスク状記録媒体１００に面振れ等が生じたときに、チルトコイル２３のチルト駆動部２３ａ、２３ｂに流れる電流と第２のマグネット１３の磁束に応じて発生する力によって、ディスク状記録媒体１００に追従するように可動ブロック１１が図２及び図４に示すチルト方向Ｒ―Ｒへ回動動作されることにより行われる。
【００５４】
例えば、図４に示すように、第２のマグネット１３がＮ極とＳ極に着磁されている場合において、チルトコイル２３に平面で見て時計回り方向（図３に示すＳ１方向）へ流れる電流が供給されると、一方のチルト駆動部２３ａに上向きの移動力が生じ他方のチルト駆動部２３ｂに下向きの移動力が生じて可動ブロック１１がＲ１方向へ動作され、逆に、チルトコイル２３に平面で見て反時計回り方向（図３に示すＳ２方向）へ流れる電流が供給されると、一方のチルト駆動部２３ａに下向きの移動力が生じ他方のチルト駆動部２３ｂに上向きの移動力が生じて可動ブロック１１がＲ２方向へ動作される。
【００５５】
以上に記載した通り、対物レンズ駆動装置８にあっては、フォーカシング駆動及びトラッキング駆動を行うための第１の磁気回路２２とチルト駆動を行うための第２の磁気回路２４とが各別に設けられているため、動作制御の単純化を図ることができ、また、フォーカシングコイル２０が１つのみで構成されているため、フォーカシング動作時の感度の向上を図ることができる。
【００５６】
また、対物レンズ駆動装置８にあっては、チルトコイル２３にトラッキング方向に並らぶようにＮ極とＳ極が着磁された第２のマグネット１３が挿入されて配置されているため、チルトコイル２３の内側の空間を第２のマグネット１３の配置スペースとして有効活用することができ、その分、小型化を図ることができる。
【００５７】
対物レンズ駆動装置８にあっては、第２のマグネット１３がフォーカシングコイル２０の近傍に配置されているため、第２のマグネット１３からの漏れ磁束により可動ブロック１１がフォーカシング方向へ動作されるときに影響を受ける。即ち、フォーカシングコイル２０に電流が流れると、可動ブロック１１はフォーカシング方向へ動作され、フォーカシングコイル２０の後側に位置する部分２０ａに右方又は左方へ向けての電流が流れるが、このとき部分２０ａを横切るように作用する第２のマグネット１３の漏れ磁束Ｐ（図３参照）によって部分２０ａに上方又は下方への移動力が発生する。
【００５８】
例えば、フォーカシングコイル２０に平面で見て時計回り方向へ電流が流れると、可動ブロック１１はフォーカシング駆動により上方へ動作され、フォーカシングコイル２０の部分２０ａに右方（図３に示すＱ２方向）へ向けての電流が流れる。このときディスク状記録媒体１００は面振れ等により外周部が上方へ変位するように反った状態とされている（図５に２点鎖線で示す状態）。従って、可動ブロック１１は、ディスク状記録媒体１００の反りの方向に追従するように、第２の磁気回路２４によってディスク状記録媒体１００の外周側に位置する部分が上方へ変位されディスク状記録媒体１００の内周側に位置する部分が下方へ変位される方向（図４に示すＲ２方向）へチルト駆動される。
【００５９】
フォーカシングコイル２０の部分２０ａに電流が流れると、上記したように、第２のマグネット１３の漏れ磁束によって部分２０ａに移動力が発生するが、このとき対物レンズ駆動装置８にあっては、漏れ磁束による影響が可動ブロック１１をＲ２方向へ動作させる向きとなるように第２のマグネット１３の着磁状態が設定されている。即ち、第２のマグネット１３は左側がＮ極とされ右側がＳ極とされており、部分２０ａの左側の部分（ディスク状記録媒体１００の内周側に位置する部分）には下方への移動力が生じ部分２０ａの右側の部分（ディスク状記録媒体１００の外周側に位置する部分）には上方への移動力が生じ、可動ブロック１１がディスク状記録媒体１００の反りの方向に追従するように図４及び図５に示すＲ２方向へ傾斜される（図５に２点鎖線で示す。）。
【００６０】
逆に、フォーカシングコイル２０に平面で見て反時計回り方向へ電流が流れると、可動ブロック１１はフォーカシング駆動により下方へ動作され、フォーカシングコイル２０の部分２０ａに左方（図３に示すＱ１方向）へ向けての電流が流れる。このときディスク状記録媒体１００は面振れ等により外周部が下方へ変位するように反った状態とされている（図５に点線で示す状態）。従って、可動ブロック１１は、ディスク状記録媒体１００の反りの方向に追従するように、第２の磁気回路２４によってディスク状記録媒体１００の外周側に位置する部分が下方へ変位されディスク状記録媒体１００の内周側に位置する部分が上方へ変位される方向（図４に示すＲ１方向）へチルト駆動される。
【００６１】
このとき第２のマグネット１３は左側がＮ極とされ右側がＳ極とされているため、部分２０ａの左側の部分（ディスク状記録媒体１００の内周側に位置する部分）には上方への移動力が生じ部分２０ａの右側の部分（ディスク状記録媒体１００の外周側に位置する部分）には下方への移動力が生じ、可動ブロック１１がディスク状記録媒体１００の反りの方向に追従するように図４及び図５に示すＲ１方向へ傾斜される（図５に点線で示す。）。
【００６２】
尚、フォーカシングコイル２０に平面で見て時計回り方向へ電流が流れたときに可動ブロック１１がフォーカシング駆動により下方へ動作されると共にフォーカシングコイル２０に平面で見て反時計回り方向へ電流が流れたときに可動ブロック１１がフォーカシング駆動により上方へ動作されるように設定されている場合には、第２のマグネット１３は左側がＳ極とされ右側がＮ極とされるように配置されている。従って、この場合にも、上記と同様に、第２のマグネット１３の漏れ磁束による影響が可動ブロック１１をディスク状記録媒体１００の反りの方向に傾斜させるように作用する。
【００６３】
対物レンズ駆動装置８にあっては、上記のように、フォーカシングコイル２０に電流が流れたときに、第２のマグネット１３の漏れ磁束による影響が可動ブロック１１をディスク状記録媒体１００の反りの方向に傾斜させるように作用する。
【００６４】
従って、チルト駆動時の第２の磁気回路２４による可動ブロック１１の駆動量を低減することができ、動作制御の容易化及び消費電力の低減を図ることができる。
【００６５】
また、第２の磁気回路２４によりチルト駆動される方向と第２のマグネット１３の漏れ磁束による影響によって可動ブロック１１が傾斜される方向とが同じ方向であるため、第２の磁気回路２４によって発生する力と第２のマグネット１３の漏れ磁束による影響によって発生する力とが互いの抵抗となることがなく、フォーカシング駆動及びチルト駆動における動作の信頼性の向上を図ることができる。
【００６６】
尚、上記には、可動ブロック１１にフォーカシングコイル２０、トラッキングコイル２１、２１及びチルトコイル２３が設けられた所謂ムービングコイル型の対物レンズ駆動装置８を例として説明したが、本発明の適用範囲はムービングコイル型の対物レンズ駆動装置８に限られることはなく、固定ブロックにフォーカシングコイル、トラッキングコイル又はチルトコイルが設けられ、可動ブロックにこれらのコイルに対応するマグネットが設けられた所謂ムービングマグネット型の対物レンズ駆動装置にも適用することが可能である。
【００６７】
また、上記には、フォーカシング方向を上下方向、トラッキング方向を左右方向として説明したが、これらの方向は説明の便宜上、例として示したものであり、特にこれらの方向に限定されることはない。
【００６８】
上記した発明を実施するための最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００６９】
【図１】図２乃至図５と共に本発明を実施するための最良の形態を示すものであり、本図はディスクドライブ装置の概略斜視図である。
【図２】対物レンズ駆動装置の拡大斜視図である。
【図３】対物レンズ駆動装置の拡大平面図である。
【図４】固定ブロックを省略して示す対物レンズ駆動装置の拡大背面図である。
【図５】対物レンズ駆動装置の可動ブロックの動作状態を説明するための概念図である。
【符号の説明】
【００７０】
１００…ディスク状記録媒体、１…ディスクドライブ装置、３…ディスクテーブル、６…光ピックアップ、７…移動ベース、８…対物レンズ駆動装置、１０…固定ブロック、１１…可動ブロック、１２…第１のマグネット、１３…第２のマグネット、１５…支持バネ、２０…フォーカシングコイル、２１…トラッキングコイル、２２…第１の磁気回路、２３…チルトコイル、２３ａ…チルト駆動部、２３ｂ…チルト駆動部、２４…第２の磁気回路
【図１】
2005063605.tif 000003
【図２】
2005063605.tif 000004
【図３】
2005063605.tif 000005
【図４】
2005063605.tif 000006
【図５】
2005063605.tif 000007